(57)【要約】【課題】処理対象の泥水から選別される所望の粒径範囲の砂として、汚れの少ない再利用可能な高品質の砂を得ることができる泥水処理方法及び泥水処理装置を提供する。【解決手段】処理対象の泥水から所望の粒径範囲の砂を選別する泥水処理装置であって、処理対象の泥水を所定粒径以下の砂を含む泥水と所定粒径よりも大きい物質とに篩分ける篩装置（第１の篩装置１）と、篩装置により篩分けされた所定粒径以下の砂を含む泥水を脱水する第１の脱水装置３と、第１の脱水装置により脱水された所望の粒径範囲の砂を洗浄する洗浄装置（すすぎ槽４）と、洗浄装置により洗浄された所望の粒径範囲の砂を脱水して所望の粒径範囲の砂を得る第２の脱水装置５とを備えたことを特徴とする。【選択図】図１
2018187583.tif 000002
【特許請求の範囲】
【請求項１】
処理対象の泥水から所望の粒径範囲の砂を選別する泥水処理方法であって、
処理対象の泥水を所定粒径以下の砂を含む泥水と所定粒径よりも大きい物質とに篩分ける篩分工程と、
篩分工程により篩分けされた所定粒径以下の砂を含む泥水を脱水する第１の脱水工程と、
第１の脱水工程により脱水された所望の粒径範囲の砂を洗浄する洗浄工程と、
洗浄工程により洗浄された所望の粒径範囲の砂を脱水して所望の粒径範囲の砂を得る第２の脱水工程とを備えたことを特徴とする泥水処理方法。
【請求項２】
処理対象の泥水から所望の粒径範囲の砂を選別する泥水処理装置であって、
処理対象の泥水を所定粒径以下の砂を含む泥水と所定粒径よりも大きい物質とに篩分ける篩装置と、
篩装置により篩分けされた所定粒径以下の砂を含む泥水を脱水する第１の脱水装置と、
第１の脱水装置により脱水された所望の粒径範囲の砂を洗浄する洗浄装置と、
洗浄装置により洗浄された所望の粒径範囲の砂を脱水して所望の粒径範囲の砂を得る第２の脱水装置とを備えたことを特徴とする泥水処理装置。
【発明の詳細な説明】
【技術分野】
【０００１】
本発明は、処理対象の泥水から所望の粒径範囲の砂を選別する泥水処理方法及び泥水処理装置に関する。
【背景技術】
【０００２】
従来、処理対象の泥水（使用済みの泥水）から再生泥水及び再生粘土質素材を得るようにした泥水処理方法及び泥水処理装置が知られている（特許文献１参照）。
また、従来、図２に示すように、処理対象の泥水から所望の粒径範囲の砂を再利用するために選別する泥水処理方法及び泥水処理装置が知られている。
図２に示す泥水処理装置においては、処理対象の泥水が、例えば篩目０．５ｍｍの第１の篩装置１により、０．５ｍｍ以下の粒径の砂を含む泥水と０．５ｍｍよりも大きい可燃物等の物質とに篩分けされた後に、篩分けされた０．５ｍｍ以下の粒径の砂を含む泥水を泥水槽２に貯留した後、ポンプ２１を用いて、０．５ｍｍ以下の粒径の砂を含む泥水を泥水槽２からサイクロン等の脱水装置３０に送る。脱水装置３０により、０．５ｍｍ以下の粒径の砂を含む泥水が脱水されて、０〜０．０３ｍｍの粒径の砂を含む泥水と０．０３ｍｍ〜０．５ｍｍの粒径の砂を含む泥水とに分離される。そして、分離された０．０３ｍｍ〜０．５ｍｍの粒径の砂を含む泥水が脱水篩等の第２の篩装置６に供給され、当該第２の篩装置６により脱水及び篩分けされることで、所望の粒径範囲の０．０３ｍｍ〜０．５ｍｍの砂が選別される。
【先行技術文献】
【特許文献】
【０００３】
【特許文献１】特開２０１１−２５５２６２号公報
【発明の開示】
【発明が解決しようとする課題】
【０００４】
しかしながら、図２に示す従来技術の泥水処理装置では、第２の篩装置６により脱水及び篩分けされて選別された所望の粒径範囲の砂は汚れていて品質が悪いため、選別された所望の粒径範囲の砂をその後十分に洗浄しなければ、再利用することができない。
特に、汚染土壌プラント等で使用した泥水の場合、汚染水で砂が汚染されているので、図２に示す泥水処理装置で選別された所望の粒径範囲の砂を製品として再利用できるようにするためには、選別された所望の粒径範囲の砂をその後何度も洗浄しなければならないという問題があった。
【０００５】
本発明は、処理対象の泥水から選別される所望の粒径範囲の砂として、汚れの少ない再利用可能な高品質の砂を得ることができる泥水処理方法及び泥水処理装置を提供する。
【課題を解決するための手段】
【０００６】
本発明に係る泥水処理方法は、処理対象の泥水から所望の粒径範囲の砂を選別する泥水処理方法であって、処理対象の泥水を所定粒径以下の砂を含む泥水と所定粒径よりも大きい物質とに篩分ける篩分工程と、篩分工程により篩分けされた所定粒径以下の砂を含む泥水を脱水する第１の脱水工程と、第１の脱水工程により脱水された所望の粒径範囲の砂を洗浄する洗浄工程と、洗浄工程により洗浄された所望の粒径範囲の砂を脱水して所望の粒径範囲の砂を得る第２の脱水工程とを備えたことを特徴とする。
本発明に係る泥水処理装置は、処理対象の泥水から所望の粒径範囲の砂を選別する泥水処理装置であって、処理対象の泥水を所定粒径以下の砂を含む泥水と所定粒径よりも大きい物質とに篩分ける篩装置と、篩装置により篩分けされた所定粒径以下の砂を含む泥水を脱水する第１の脱水装置と、第１の脱水装置により脱水された所望の粒径範囲の砂を洗浄する洗浄装置と、洗浄装置により洗浄された所望の粒径範囲の砂を脱水して所望の粒径範囲の砂を得る第２の脱水装置とを備えたことを特徴とする。
本発明によれば、処理対象の泥水から選別される所望の粒径範囲の砂として、十分に洗浄された汚れの少ない再利用可能な高品質の砂を得ることができる。
【図面の簡単な説明】
【０００７】
【図１】泥水処理装置を示すブロック構成図。
【図２】従来の泥水処理装置を示すブロック構成図。
【発明を実施するための形態】
【０００８】
図１に示すように、実施形態に係る処理対象の泥水から所望の粒径範囲の砂を選別する泥水処理装置は、汚染された泥水等の処理対象の泥水を所定粒径以下の砂を含む泥水と所定粒径よりも大きい物質とに篩分ける第１の篩装置１と、第１篩装置１により篩分けされた所定粒径以下の砂を含む泥水を貯留する泥水槽２と、泥水槽２から送られてくる所定粒径以下の砂を含む泥水を脱水するサイクロン等の第１の脱水装置３と、第１の脱水装置３により脱水された所望の粒径範囲の砂をすすいで洗浄する洗浄装置としてのすすぎ槽４と、すすぎ槽４ですすがれて洗浄された所望の粒径範囲の砂を脱水するサイクロン等の第２の脱水装置５と、第２の脱水装置５で脱水された所望の粒径範囲の砂をさらに脱水及び篩分ける脱水篩等の第２の篩装置６と、すすぎ槽４に供給するための清水を貯留する清水貯留槽７とを備える。尚、当該泥水処理装置の起動中、この清水貯留槽７には、常時、又は、定期的に、新しい清水が供給され、当該清水貯留槽７に貯留された清水がポンプ７１によりすすぎ槽４に供給されている。
【０００９】
第１の篩装置１は、例えば０．５ｍｍ以下の粒径の砂を含む泥水と０．５ｍｍよりも大きい物質とに篩分けする。０．５ｍｍ以下の粒径の砂を含む泥水は、第１の篩装置１の篩目を介して泥水槽２に落下し、０．５ｍｍよりも大きい物質は物質置き場に送られる。
第１の脱水装置３は、泥水槽２から送られてくる例えば０．５ｍｍ以下の粒径の砂を含む泥水を脱水して、例えば０〜０．０３ｍｍの粒径の砂を含む泥水と０．０３ｍｍ〜０．５ｍｍの粒径の砂を含む泥水とに分離する。０〜０．０３ｍｍの粒径の砂を含む泥水は水処理場に送られ、０．０３ｍｍ〜０．５ｍｍの粒径の砂を含む泥水は第１の脱水装置３からすすぎ槽４に落下する。
第２の脱水装置５は、すすぎ槽４を経由してすすぎ水が付いた０．０３ｍｍ〜０．５ｍｍの粒径の砂を含む泥水を脱水し、すすぎ槽４中で清水によりすすがれて洗浄された０．０３ｍｍ〜０．５ｍｍの粒径の砂を含む泥水は第２の脱水装置５から第２の篩装置６の篩目上に落下する。
第２の篩装置６は、第２の脱水装置５から排出された０．０３ｍｍ〜０．５ｍｍの粒径の砂をさらに脱水しながら篩分け、篩分けされた０．０３ｍｍ〜０．５ｍｍの粒径の砂（清水ですすがれた砂）は砂置場に送られる。
【００１０】
以下、処理対象の泥水から所望の粒径範囲の砂を選別する処理の流れについて説明する。
まず、汚染物質や可燃物等の物質を含む処理対象の泥水が第１の篩装置１に供給され、第１の篩装置１によって、例えば０．５ｍｍ以下の粒径の砂（所定粒径以下の砂）を含む泥水と０．５ｍｍよりも大きい可燃物等の物質（所定粒径よりも大きい物質）とに篩分けられる。第１の篩装置１の例えば篩目０．５ｍｍを通過した０．５ｍｍ以下の粒径の砂を含む泥水は、泥水槽２に落下し、ポンプ２１により第１の脱水装置３に送られる。第１の脱水装置３の脱水処理により、０．５ｍｍ以下の粒径の砂を含む泥水から分離した０〜０．０３ｍｍの泥水が水処理場に送られる。第１の脱水装置３により脱水処理された０．０３ｍｍ〜０．５ｍｍの砂を含む泥水は、すすぎ槽４に送られてすすぎ槽４中で清水によりすすがれる（洗われる）。すすぎ槽４中ですすがれることで洗浄された０．０３ｍｍ〜０．５ｍｍの砂とすすぎ槽４の水とがポンプ４１により第２の脱水装置５に送られる。第２の脱水装置５による脱水処理によって、０．０３ｍｍ〜０．５ｍｍの砂に付いていた水（すすぎ槽４からの水）が分離されてすすぎ槽４に戻される。また、第２の脱水装置５によって脱水処理された０．０３ｍｍ〜０．５ｍｍの砂は、第２の篩装置６の篩目（例えば篩目０．０３ｍｍ）上に落下する。第２の脱水装置５によって脱水処理された０．０３ｍｍ〜０．５ｍｍの砂と当該砂に付いていた水とが第２の篩装置６によって篩分けられた後に、篩分けられた０．０３ｍｍ〜０．５ｍｍの砂がすすぎ槽４での洗浄処理を経た再利用可能な製品として砂置場に送られる。
【００１１】
実施形態によれば、第１の脱水装置３により脱水された例えば０．０３ｍｍ〜０．５ｍｍ）の砂（所望の粒径範囲の砂）に付いた汚れをすすぎ槽４で洗浄した後に、当該すすぎ槽４で汚れが洗い流された０．０３ｍｍ〜０．５ｍｍの砂を第２の脱水装置５に送るようにしているので、第２の脱水装置５により脱水処理された０．０３ｍｍ〜０．５ｍｍの砂として、すすぎ槽４での洗浄処理を経た汚れの少ない再利用可能な高品質の製品としての砂を得ることができる。
即ち、実施形態の泥水処理装置によれば、図２に示す従来技術の泥水処理装置のように、選別された所望の粒径範囲の砂をその後十分に洗浄処理する必要が無くなり、すすぎ槽４での十分な洗浄処理を経た汚れの少ない再利用可能な高品質の製品としての砂を得ることができるようになる。
【００１２】
また、実施形態による処理対象の泥水から所望の粒径範囲の砂を選別する泥水処理方法によれば、処理対象の泥水を所定粒径以下の砂を含む泥水と所定粒径よりも大きい物質とに篩分ける篩分工程と、篩分工程により篩分けされた所定粒径以下の砂を含む泥水を脱水する第１の脱水工程と、第１の脱水工程により脱水された所望の粒径範囲の砂を洗浄する洗浄工程と、洗浄工程により洗浄された所望の粒径範囲の砂を脱水して所望の粒径範囲の砂を得る第２の脱水工程とを備えるので、第２の脱水工程を経て得られた所望の粒径範囲の砂として、洗浄処理を経た汚れの少ない再利用可能な高品質の製品としての砂を得ることができる。
【００１３】
尚、実施形態では、第２の篩装置６を備えた構成を示したが、第２の篩装置６を備えない構成としてもよい。即ち、第２の脱水装置５により脱水された所望の粒径範囲の砂を砂置場（製品置場）に直接搬送するようにしてもよい。
【００１４】
また、実施形態では、洗浄装置としてすすぎ槽４を用いた例を示したが、洗浄装置は、第１の脱水装置３により脱水された所望の粒径範囲の砂に付いた汚れを十分に洗浄できる機能を備えた装置であれば、どのような洗浄装置であってもかまわない。
【符号の説明】
【００１５】
１  第１の篩装置（篩装置）、３  第１の脱水装置、４  すすぎ槽（洗浄装置）、
５  第２の脱水装置。
【図１】
2018187583.tif 000003
【図２】
2018187583.tif 000004